(57)【特許請求の範囲】
【請求項１】
ワイヤレス通信においてデータを送信するための方法であって、
第１の処理技法を使用して、複数の第１のパイロットシンボルに少なくとも部分的に基づいて送信のための第１のサブフレームを生成することと、前記生成された第１のサブフレームは、少なくとも１つのサイクリックプレフィックスを含み、前記第１の処理技法が直交周波数分割多重（ＯＦＤＭ）を備える、
第２の処理技法を使用して、複数の第２のパイロットシンボルに少なくとも部分的に基づいて送信のための第２のサブフレームを生成することと、前記生成された第２のサブフレームは、少なくとも１つのサイクリックプレフィックスを含み、ここにおいて、前記第１の処理技法と前記第２の処理技法とが異なり、および、ここにおいて、前記複数の第２のパイロットシンボルは、前記第２のサブフレームにおける時間領域データパケット内でインターリーブされ、
前記第１および第２のサブフレームを送信することと
を備える、方法。
【請求項２】
前記第２の処理技法がサイクリックプレフィックスシングルキャリア（ＣＰ−ＳＣ）を備える、請求項１に記載の方法。
【請求項３】
送信のための前記第１のサブフレームを生成することは、
前記複数の第１のパイロットシンボルを信号コンスタレーション上にマッピングすることと、ここにおいて、前記コンスタレーション上の各信号が等しいエネルギーを有し、
前記複数の第１のパイロットシンボルに逆高速フーリエ変換（ＩＦＦＴ）を適用することによって、前記信号コンスタレーションを周波数領域から時間領域に変換することとを備える、請求項１に記載の方法。
【請求項４】
前記第１の生成されたサブフレーム内に含まれる前記サイクリックプレフィックスは、前記生成された第１のサブフレームの前記パイロットシンボルのうちの少なくとも１つの繰り返しを含み、前記第２の生成されたサブフレーム内に含まれる前記サイクリックプレフィックスは、前記生成された第２のサブフレームの前記時間領域データパケットのうちの少なくとも１つ、または前記第２のパイロットシンボルのうちの少なくとも１つの繰り返しを含む、請求項１に記載の方法。
【請求項５】
前記複数の第１のパイロットシンボルが、チャネル推定を行うために受信機によって使用される、請求項１に記載の方法。
【請求項６】
前記複数の第２のパイロットシンボルが、チャネル推定追跡のために使用される、請求項１に記載の方法。
【請求項７】
前記ワイヤレス通信が無認可周波数スペクトル上で動作する、請求項１に記載の方法。
【請求項８】
前記無認可周波数スペクトルが６０ＧＨｚ帯域を備える、請求項７に記載の方法。
【請求項９】
前記第１のサブフレームが第１の時間期間中に送信され、前記第２のサブフレームが第２の時間期間中に送信される、請求項１に記載の方法。
【請求項１０】
前記第１の時間期間と前記第２の時間期間とが隣接する、請求項９に記載の方法。
【請求項１１】
ワイヤレス通信においてデータを送信するための装置であって、
第１の処理技法を使用して、複数の第１のパイロットシンボルに少なくとも部分的に基づいて送信のための第１のサブフレームを生成するための第１の処理モジュールと、前記生成された第１のサブフレームは、少なくとも１つのサイクリックプレフィックスを含み、前記第１の処理技法が直交周波数分割多重（ＯＦＤＭ）を備える、
第２の処理技法を使用して、複数の第２のパイロットシンボルに少なくとも部分的に基づいて送信のための第２のサブフレームを生成するための第２の処理モジュールと、前記生成された第２のサブフレームは、少なくとも１つのサイクリックプレフィックスを含み、ここにおいて、前記第１の処理技法と前記第２の処理技法とが異なり、および、ここにおいて、前記複数の第２のパイロットシンボルは、前記第２のサブフレームにおける時間領域データパケット内でインターリーブされ、
前記第１および第２のサブフレームを送信するための送信機モジュールと
を備える、装置。
【請求項１２】
ワイヤレス通信においてデータを受信するための方法であって、
受信デバイスにおいて、それぞれ、第１の時間期間中および第２の時間期間中に、第１の処理技法を使用して符号化された第１のサブフレームと、前記第１のサブフレームは、少なくとも１つのサイクリックプレフィックスを含み、第２の処理技法を使用して符号化された第２のサブフレームとを受信することと、前記第２のサブフレームは、少なくとも１つのサイクリックプレフィックスを含み、前記第１の処理技法が直交周波数分割多重（ＯＦＤＭ）を備える、
複数の第１のパイロットシンボルに部分的に基づいて最初のチャネル状態を推定することと、ここにおいて、前記第１のパイロットシンボルが、前記受信デバイスにおいて、前記第１のサブフレーム中で受信され、
複数の第２のパイロットシンボルに部分的に基づいてチャネル状態を追跡することと、ここにおいて、前記複数の第２のパイロットシンボルが前記第２のサブフレーム中で受信され、および、ここにおいて、前記複数の第２のパイロットシンボルは、前記第２のサブフレームにおける時間領域データパケット内でインターリーブされたものである、
前記チャネル推定に部分的に、および前記チャネル推定追跡情報に部分的に基づいて複数のデータパケットを検出することと
を備える、方法。
【発明の詳細な説明】
【技術分野】
【０００１】
相互参照
[0001]本特許出願は、２０１４年４月１日に出願され、本出願の譲受人に譲渡された、「Hybrid Waveform Design Combining OFDM and Cyclic Prefix Based Single Carrier for Millimeter-Wave Wireless Communication」と題する、Ｚｈａｏらによる米国特許出願第１４／２４２，６０９号の優先権を主張する。
【背景技術】
【０００２】
[0002]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。Ｗｉ−Ｆｉ（登録商標）（ＩＥＥＥ８０２．１１）ネットワークなど、ワイヤレスローカルエリアネットワーク（ＷＬＡＮ）も広く展開され、使用されている。
【０００３】
[0003]概して、ワイヤレス多元接続通信システムは、各々が複数のモバイルデバイスのための通信を同時にサポートする、いくつかの基地局またはアクセスポイントを含み得る。基地局またはアクセスポイントは、ダウンストリームリンクおよびアップストリームリンク上でモバイルデバイスと通信し得る。各基地局またはアクセスポイント（ＡＰ）は、セルのカバレージエリアと呼ばれることがあるカバレージ範囲を有する。基地局とモバイルデバイスとの間のワイヤレス通信は、高データレートを含み得る。そのような状況では、ワイヤレス通信システムのパフォーマンスは、主に、ワイヤレスチャネル環境によって左右される。送信機および／または受信機の高データレート送信および高モビリティは、通常、厄介な周波数選択性および時間選択性フェージングチャネル状態を経験する。そのようなフェージング状態を緩和することは、効率的なデータ送信を生じる。
【０００４】
[0004]チャネル状態情報（ＣＳＩ：channel state information）の正確な推定は、ワイヤレス通信システムのパフォーマンスに影響を及ぼす。ワイヤードチャネルの一般的な静的および予測可能な特性とは対照的に、ワイヤレスチャネルは、動的および予測不可能であり得る。広範囲のワイヤレスおよびワイヤライン適用例のために、従来、直交周波数分割多重（ＯＦＤＭ）が採用されている。ＯＦＤＭの主要な長所としては、マルチパス伝搬に対するそれの耐性、チャネル容量を達成する可能性、およびマルチユーザ通信システムにおける周波数ダイバーシティスケジューリングの利用可能性がある。しかしながら、ＯＦＤＭベース送信はブロードバンド通信のための物理レイヤになったが、それは、大きいピーク対平均電力比（ＰＡＰＲ：peak-to-average power ratio）、増幅器非線形性に対する不耐性、およびキャリア周波数オフセットに対する高い敏感性を含むいくつかの欠点がある。その結果、ワイヤレスチャネルにわたってデータを送信するためのＯＦＤＭシステムの実装は、いくつかのワイヤレスシステムにとっては最適でないことがある。
【０００５】
[0005]ＯＦＤＭシステムの代替手法は、サイクリックプレフィックス（ＣＰ：Cyclic Prefix）シングルキャリア（ＳＣ：single-carrier）変調技法に焦点を当てている。周波数領域等化を用いたＣＰベースシングルキャリア伝送システムは、ＯＦＤＭシステムよりも低いピーク対平均電力比を与え得るが、ＣＰベースＳＣシステムは、高速に変化するチャネル環境ではＯＦＤＭシステムに対して同等の、さらには高い実装複雑さとともに不十分なチャネル推定という欠点があり得る。したがって、チャネル推定を支援するためのＣＰベースＳＣ変調技法の採用は、理想的ではないことがある。ＯＦＤＭ変調技法とＳＣ変調技法の両方が、いくつかの独自の利点を与えるが、各々は、チャネル推定とデータ転送とに関するワイヤレスチャネルのパフォーマンスに悪影響を及ぼす固有の欠点があり得る。
【発明の概要】
【０００６】
[0006]本開示は、概して、送信デバイスと受信デバイスとの間のデータ送信のためのハイブリッド波形を生成するための１つまたは複数の改善されたシステム、方法、および／または装置に関する。いくつかの実施形態では、送信デバイス（たとえば、基地局および／またはモバイルデバイス）は、知られている第１のパイロットシンボルを第１の時間期間中に周期的に送信するためにＯＦＤＭ処理技法を採用し、データパケットと複数の第２のパイロットシンボルとを第２の時間期間中に送信するためにサイクリックプレフィックスベースシングルキャリア（ＣＰ−ＳＣ）処理技法を採用し得る。いくつかの例では、チャネル推定が、特定の期間内のＯＦＤＭシンボルブロックのすべてのサブキャリア中に挿入され得る第１のパイロットシンボルに基づく。受信デバイスは、第１のパイロットシンボルに基づいてＣＳＩを推定し、第２のパイロットシンボルに基づいてチャネル推定を追跡し、したがって信頼できるデータ検出を行い得る。チャネル推定のためのＯＦＤＭ処理技法と、チャネル状態を追跡し、データを送信するためのＣＰ−ＳＣとを備えるハイブリッド波形を採用することによって、本開示は、それぞれの欠点を最小限に抑えながら、ＯＦＤＭ変調方式とＣＰ−ＳＣ変調方式の両方の利益を実現する。
【０００７】
[0007]例示的な例の第１のセットによる、ワイヤレス通信においてデータを送信するための開示される方法について説明する。一例では、本方法は、第１の処理技法を使用して、第１のパイロットシンボルに少なくとも部分的に基づいて送信のための第１のサブフレームを生成することを含む。本方法は、第２の処理技法を使用して、第２のパイロットシンボルに少なくとも部分的に基づいて送信のための第２のサブフレームを生成することをさらに含み得る。そのような例では、第１の処理技法と第２の処理技法とは異なる。例示的な方法は、第１および第２のサブフレームを送信することをさらに備え得る。
【０００８】
[0008]いくつかの例では、第１の処理技法は直交周波数分割多重（ＯＦＤＭ）を備え得、第２の処理技法はサイクリックプレフィックスシングルキャリア（ＣＰ−ＳＣ）を備え得る。送信のための第１のサブフレームを生成することは、複数の第１のパイロットシンボルを信号コンスタレーション上にマッピングすることを備え得る。コンスタレーション上の各信号は等しいエネルギーを有し得る。本方法は、複数の第１のパイロットシンボルに逆高速フーリエ変換（ＩＦＦＴ）を適用することによって、信号コンスタレーションを周波数領域から時間領域に変換することをさらに備え得る。また別の例では、送信のための第２のサブフレームを生成することは、サイクリックプレフィックスと複数の第２のパイロットシンボルとを第２のサブフレーム中に挿入することを備え得る。
【０００９】
[0009]いくつかの例では、複数の第２のパイロットシンボルは、等しい時間遅延に従って第２のサブフレーム中に挿入され得る。また別の例では、複数の第２のパイロットシンボルは、等しくない時間遅延に従って第２のサブフレーム中に挿入され得る。第１のパイロットシンボルは、チャネル推定を行うために受信機によって使用され得る。逆に、複数の第２のパイロットシンボルは、チャネル推定追跡のために使用され得る。いくつかの例では、ワイヤレス通信は無認可周波数スペクトル上で動作する。無認可周波数スペクトルは６０ＧＨｚ帯域を備え得る。いくつかの例では、第１のサブフレームは第１の時間期間中に送信され得、第２のサブフレームは第２の時間期間中に送信され得る。第１の時間期間と第２の時間期間とは隣接し得る。
【００１０】
[0010]例示的な実施形態の第２のセットによる、ワイヤレス通信においてデータを送信するための装置の一例が開示される。本装置は、プロセッサと、プロセッサと電子通信しているメモリとを備え得る。メモリは命令を具備し得、命令は、第１の処理技法を使用して第１のパイロットシンボルに部分的に基づいて送信のための第１のサブフレームを生成するために、プロセッサによって実行可能である。プロセッサによって実行可能である命令はさらに、第２の処理技法を使用して、第２のパイロットシンボルに少なくとも部分的に基づいて送信のための第２のサブフレームを生成し得る。第１の処理技法と第２の処理技法とは異なり得る。プロセッサはさらに、第１および第２のサブフレームを送信し得る。いくつかの例では、本装置は、例示的な実施形態の第１のセットに関して上記で説明したワイヤレス通信システムにおいてデータを送信するための方法の１つまたは複数の態様をさらに実装し得る。
【００１１】
[0011]例示的な実施形態の第３のセットによる、ワイヤレス通信においてデータを送信するための装置の一例が開示される。一例では、第１の処理モジュールが、第１の処理技法を使用して、第１のパイロットシンボルに少なくとも部分的に基づいて送信のための第１のサブフレームを生成し得る。別の例では、第２の処理モジュールが、第２の処理技法を使用して、第２のパイロットシンボルに少なくとも部分的に基づいて送信のための第２のサブフレームを生成し得る。第１の処理技法と第２の処理技法とは異なり得る。送信機モジュールが第１および第２のサブフレームを送信し得る。いくつかの例では、本装置は、例示的な実施形態の第１のセットに関して上記で説明したワイヤレス通信システムにおいてデータを送信するための方法の１つまたは複数の態様をさらに実装し得る。
【００１２】
[0012]例示的な実施形態の第４のセットによる、ワイヤレス通信システムにおいてデータを受信するための方法が開示される。いくつかの例では、本方法は、受信デバイスにおいて、それぞれ、第１の時間期間中および第２の時間期間中に、第１の処理技法を使用して符号化された第１のサブフレームと、第２の処理技法を使用して符号化された第２のサブフレームとを受信することを備え得る。本方法は、第１のパイロットシンボルに部分的に基づいて最初のチャネル状態を推定することをさらに備え得、ここにおいて、第１のパイロットシンボルは、受信デバイスにおいて、第１のサブフレーム中で受信される。またさらに、本方法は、複数の第２のパイロットシンボルに部分的に基づいてチャネル状態を追跡し得、ここにおいて、複数の第２のパイロットシンボルは第２のサブフレーム中で受信される。チャネル推定に部分的に、およびチャネル推定追跡情報に部分的に基づいて複数のデータパケットが検出され得る。
【００１３】
[0013]いくつかの例では、第１の処理技法は直交周波数分割多重処理を備え得、第２の処理技法はサイクリックプレフィックスシングルキャリア（ＣＰ−ＳＣ）処理を備え得る。
【００１４】
[0014]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【００１５】
[0015]本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１６】
【図１】[0016]本開示の様々な態様による、ワイヤレス通信システムの一例を示す図。
【図２】[0017]本開示の様々な態様による、基地局および／または移動局のいずれかにおいて実装され得る送信デバイスの例示的なワイヤレス通信システムのブロック図。
【図３】[0018]本開示による、例示的なワイヤレス通信システムのブロック図。
【図４】[0019]本開示の様々な態様による、サブフレーム生成モジュールを含む送信デバイスの例示的なワイヤレス通信システムのブロック図。
【図５】[0020]本開示の様々な態様による、基地局および／またはモバイルデバイスのいずれかにおいて実装され得る受信デバイスのブロック図。
【図６】[0021]本開示の様々な態様による、サブフレーム分析モジュールのブロック図。
【図７】[0022]本開示の様々な態様による、サブフレーム分析モジュールのブロック図。
【図８】[0023]本開示の様々な態様によるモバイルデバイスの一例を示す図。
【図９】[0024]本開示の様々な態様による基地局またはアクセスポイントの一例を示す図。
【図１０Ａ】[0025]本開示の態様によるハイブリッド波形に基づくフレーム構造の一例を示す図。
【図１０Ｂ】[0026]本開示の様々な態様によるハイブリッド波形に基づくフレーム構造の代替例を示す図。
【図１１】[0027]本開示の様々な態様による、ワイヤレス通信を行う方法の一例を示すフローチャート。
【図１２】[0028]本開示の様々な態様による、ワイヤレス通信を行う方法の一例を示すフローチャート。
【図１３】[0029]本開示の様々な態様による、受信デバイスにおいて構成されたワイヤレス通信を行う方法の一例を示すフローチャート。
【発明を実施するための形態】
【００１７】
[0030]いくつかの実施形態では、送信デバイス（たとえば、基地局および／またはモバイルデバイス）が、知られている第１のパイロットシンボルを第１の時間期間中に周期的に送信するためにＯＦＤＭ処理技法を採用し、データパケットを第２の時間期間中に送信するためにサイクリックプレフィックスベースシングルキャリア（ＣＰ−ＳＣ）処理技法を採用し得る。いくつかの例では、チャネル推定がブロックタイプパイロット構成に基づき、ここにおいて、パイロットシンボルは、特定の期間内のＯＦＤＭシンボルブロックのすべてのサブキャリア中に挿入され得る。そのようなパイロットシンボルに部分的に基づいて、受信デバイスは、ＣＳＩを推定し、信頼できるデータ検出を行うように構成され得る。本開示のまたさらなる例では、分散パイロットシンボルが、ＣＰ−ＳＣ処理技法に基づいてデータパケットとインターリーブされ（多重化され）得る。分散パイロットシンボルは、受信デバイスが、知られている第１のパイロットシンボルに基づく初期推定の後にくるチャネル状態を追跡することを可能にし得る。いくつかの実施形態では、基地局（またはアクセスポイント）とモバイルデバイスとの間の送信は、無認可周波数スペクトル上で動作するミリメートル波ワイヤレス通信を含み得る。
【００１８】
[0031]チャネル推定のためのＯＦＤＭ処理技法と、チャネル状態を追跡し、データを送信するためのＣＰ−ＳＣとを備えるハイブリッド波形を採用することによって、本開示は、それぞれの欠点を最小限に抑えながら、ＯＦＤＭ変調方式とＣＰ−ＳＣ変調方式の両方の利益を実現する。そのような実現された本発明の特徴は、従来のシステムおよび／または方法の欠点を著しく克服する。
【００１９】
[0032]本明細書で説明する技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００２０】
[0033]以下の説明は、例を与えるものであり、特許請求の範囲に記載される範囲、適用可能性、または構成を限定するものではない。本開示の範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２１】
[0034]図１に、本開示の様々な態様による、ワイヤレス通信システム１００の一例を示す。ワイヤレス通信システム１００は、複数の基地局１０５（たとえば、ｅＮＢ、ＷＬＡＮアクセスポイント、または他のアクセスポイント）と、いくつかのユーザ機器（ＵＥ）１１５と、コアネットワーク１３０とを含む。基地局１０５のうちのいくつかは、様々な例ではコアネットワーク１３０または基地局１０５のうちのいくつかの基地局の一部であり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに、直接または間接的のいずれかで、通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、パイロットシンボル、基準信号、制御チャネルなど）、オーバーヘッド情報、データなどを搬送し得る。システム１００は、ネットワークリソースを効率的に割り振ることが可能なマルチキャリアＬＴＥ（登録商標）ネットワークであり得る。
【００２２】
[0035]基地局１０５は、１つまたは複数の基地局アンテナを介してＵＥ１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、ＷｉＦｉ（登録商標）ノード、または何らかの他の好適な用語で呼ばれることがある。基地局１０５のためのカバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮの無線アクセス技術など、異なる無線技術を利用し得る。基地局１０５は、同じまたは異なるアクセスネットワークまたは事業者展開に関連付けられ得る。同じまたは異なるタイプの基地局１０５のカバレージエリアを含み、同じまたは異なる無線技術を利用し、および／あるいは同じまたは異なるアクセスネットワークに属する、異なる基地局１０５のカバレージエリアは重複し得る。
【００２３】
[0036]ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２４】
[0037]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通して）直接または間接的に互いに通信し得る。ワイヤレス通信システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００２５】
[0038]ＵＥ１１５は、ワイヤレス通信システム１００全体にわたって分散され得、各ＵＥ１１５は固定式または移動可能であり得る。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーまたは他のＷＷＡＮアクセスネットワーク、あるいはＷＬＡＮアクセスネットワークなど、異なるタイプのアクセスネットワークを介して通信することも可能であり得る。ＵＥ１１５との通信のいくつかのモードでは、通信は、複数の通信リンク１２５またはチャネル（すなわち、コンポーネントキャリア）を介して行われ得、各チャネルまたはコンポーネントキャリアは、ＵＥと、いくつかのセル（たとえば、場合によっては異なる基地局１０５であり得る、サービングセル）のうちの１つとの間に確立される。
【００２６】
[0039]ワイヤレス通信システム１００に示されている通信リンク１２５は、アップリンク（ＵＬ）通信（たとえば、ＵＥ１１５から基地局１０５への送信）を搬送するためのアップリンクチャネル（またはコンポーネントキャリア）、および／またはダウンリンク（ＤＬ）通信（たとえば、基地局１０５からＵＥ１１５への送信）を搬送するためのダウンリンクチャネル（またはコンポーネントキャリア）を含み得る。ＵＬ通信または送信は逆方向リンク通信または送信と呼ばれることもあり、ＤＬ通信または送信は順方向リンク通信または送信と呼ばれることもある。
【００２７】
[0040]本開示のいくつかの例では、ＵＥ１１５は、５７〜６６ＧＨｚ無認可周波数スペクトル中で動作するミリメートル波（ＭＭＷ）ワイヤレス通信チャネルを使用して、サービング基地局１０５と通信し得る。他の例では、ＵＥ１１５は、限定はしないが、認可帯域および無認可帯域を含む、７０、８０および９０ＧＨｚにおける解放されたＭＭＷ帯域を使用してサービング基地局１０５と通信し得る。いくつかの実施形態では、送信デバイス（たとえば、基地局１０５および／またはＵＥ１１５）は、ＯＦＤＭ処理技法を使用して、通信リンク１２５を介して受信デバイス（たとえば、基地局１０５および／またはＵＥ１１５）に制御情報（たとえば、パイロットシンボル）を送信し得る。受信デバイスは、受信されたパイロットシンボルに少なくとも部分的に基づいて送信デバイスと受信デバイスとの間のチャネル状態を推定し得る。送信デバイスは、ＣＰ−ＳＣ処理技法を使用して、ワイヤレスチャネルを介して、データパケットとインターリーブされた複数の分散パイロットシンボル（第２のパイロットシンボル）をさらに送信し得る。分散パイロットシンボルはチャネル推定追跡を可能にし得る。
【００２８】
[0041]図２に、本開示の様々な態様による、ワイヤレス通信において使用するための装置２０５のブロック図２００を示す。いくつかの例では、装置２０５は、送信デバイス、たとえば、図１を参照しながら説明した基地局１０５および／またはＵＥ１１５のうちの１つまたは複数の一例であり得る。装置２０５はまた、プロセッサであり得る。装置２０５は、送信デバイス受信機モジュール２１０、フレーム管理モジュール２１５、および／または送信デバイス送信機モジュール２２０を含み得る。これらの構成要素の各々は互いに通信していることがある。
【００２９】
[0042]装置２０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００３０】
[0043]送信デバイス受信機モジュール２１０は、図１を参照しながら説明したワイヤレス通信システム１００の１つまたは複数の通信リンク１２５など、ワイヤレス通信システムの１つまたは複数の通信リンクを介して、様々なタイプのデータおよび／または制御信号（すなわち、送信、パイロットシンボル）を受信するために使用され得る。送信デバイス受信機モジュール２１０は、送信デバイス２０５の内部構成要素（図示せず）からデータおよび／または制御信号をさらに受信し得る。送信デバイス受信機モジュール２１０は、信号２０２を介してパケット、データ、および／またはシグナリング情報などの情報を受信し得る。受信された情報は、図１を参照しながら説明した送信デバイス２０５と通信している少なくとも１つまたは複数の他のＵＥ１１５および／または基地局など、受信デバイスとの通信を確立するためにフレーム管理モジュール２１５によって利用され得る。
【００３１】
[0044]フレーム管理モジュール２１５は、送信デバイス受信機モジュール２１０を介したワイヤレス通信の受信を制御するために、および／または送信デバイス送信機モジュール３１５を介したワイヤレス通信の送信を制御するために使用され得る。送信デバイス送信機モジュール２２０のワイヤレス通信の送信を制御することは、信号２０４を介して送信デバイス受信機モジュール２１０から取得された制御情報（たとえば、パイロットシンボル）と複数のデータパケットとに部分的に基づいて、複数のフレームおよびサブフレームを生成することを備え得る。フレーム管理モジュール２１５は、データおよび／または制御信号の受信されたタイプの各々を識別し、当技術分野において知られている複数の処理技法のうちの少なくとも１つに従ってサブフレームを生成し得る。いくつかの例では、処理技法は、識別された情報のタイプに部分的に基づいてサブフレームを生成するように構成されたＯＦＤＭ処理技法および／またはＣＰ−ＳＣ処理技法を備え得る。生成されたサブフレームは、ワイヤレスチャネル上に変調されるために信号２０６を介して送信デバイス送信機モジュール２２０にフォワーディングされ得る。
【００３２】
[0045]送信デバイス送信機モジュール２２０は、少なくとも１つのＲＦ送信機を含み得る。送信機モジュール２２０は、本開示で説明するハイブリッド波形による、図１を参照しながら説明したワイヤレス通信システム１００の１つまたは複数の通信リンク１２５など、ワイヤレス通信システムの１つまたは複数の通信リンクを介して、様々なタイプのデータおよび／または制御信号（すなわち、送信、パイロットシンボル）を送信するために使用され得る。送信機モジュール２２０は、フレーム管理モジュール２１５によって準備された作成されたフレームおよびサブフレームに部分的に基づいて、パケット、データ、および／またはシグナリング情報などの情報を通信リンク２０８を介して送信し得る。
【００３３】
[0046]図３に、本開示の様々な態様による、ワイヤレス通信において使用するための装置２０５−ａのブロック図３００を示す。いくつかの例では、装置２０５−ａは、図２を参照しながら説明した送信デバイス２０５の一例であり得る。装置２０５−ａはまた、プロセッサであり得る。装置２０５−ａは、図２を参照しながら説明したように、送信デバイス受信機モジュール２１０−ａ、フレーム管理モジュール２１５−ａ、および／または送信デバイス送信機モジュール２２０−ａを含み得る。本開示によれば、フレーム管理モジュール２１５−ａは、パケット識別モジュール３０５および／またはサブフレーム生成モジュール３１０をさらに含み得る。これらの構成要素の各々は互いに通信していることがある。
【００３４】
[0047]装置２０５−ａの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００３５】
[0048]一実施形態では、送信デバイス受信機モジュール２１０−ａおよび送信デバイス送信機モジュール２２０−ａは、図２を参照しながら前に説明したように動作し、機能し得る。いくつかの例では、送信デバイス受信機モジュール２１０−ａは、信号３０２を介して受信機モジュール２０５−ａにおいて受信された様々なタイプのデータおよび／または制御信号（すなわち、送信、パイロットシンボル）を、通信リンク３０４を介してフレーム管理モジュール２１５−ａにフォワーディングし得る。いくつかの例では、パケット識別モジュール３０５は、様々なタイプのデータおよび／または制御信号を識別し、複数の通常パイロットシンボル（第１のパイロットシンボル）と、複数の分散パイロットシンボル（第２のパイロットシンボル）と、複数のデータパケットとに区別し得る。パケット識別モジュール３０５は、識別されたパイロットシンボルとデータパケットとを、処理のために通信リンク３０６を介してサブフレーム生成モジュール３１０にフォワーディングし得る。
【００３６】
[0049]いくつかの実施形態では、サブフレーム生成モジュール３１０は、複数の識別されたパイロットシンボルと複数の識別されたデータパケットとを受信し得る。サブフレーム生成モジュール３１０は、複数の処理技法のうちの１つに従って、フレームおよび／または複数のサブフレームを準備し得る。複数の処理技法は、マルチキャリアＯＦＤＭ処理技法および／またはＣＰ−ＳＣ処理技法のうちの１つまたは複数を備え得る。いくつかの例では、サブフレーム生成モジュール３１０は、識別された通常パイロットシンボルに基づいて、マルチキャリアＯＦＤＭ処理技法を使用して第１のサブフレームを生成し得る。またさらなる例では、サブフレーム生成モジュール３１０は、識別されたデータパケットと複数の分散パイロットシンボルとに部分的に基づいて、ＣＰ−ＳＣ処理技法を使用して第２のサブフレームを生成し得る。サブフレーム生成モジュール３１０は、処理技法のうちの少なくとも１つに従って複数のサブフレームを生成し、生成されたサブフレームを通信リンク３０８を介して送信デバイス送信機モジュール２２０−ａにフォワーディングし得る。送信機モジュール２２０−ａは、限定はしないが、位相シフトキーイング（ＰＳＫ）、直交振幅変調（ＱＡＭ）、周波数シフトキーイング（ＦＳＫ）、および／または振幅シフトキーイング（ＡＳＫ）を含む、知られている変調技法のいずれかを使用して、生成されたサブフレームをワイヤレスチャネル３１２上に変調し得る。
【００３７】
[0050]図４に、本開示の様々な態様による、ワイヤレス通信において使用するための装置３１０−ａのブロック図４００を示す。いくつかの例では、装置３１０−ａは、図３を参照しながら説明したサブフレーム生成モジュール３１０の一例であり得る。図４は、パケット識別モジュール３０５−ａのブロック図と、送信機デバイス送信機モジュール２２０−ｂのブロック図とをも示している。いくつかの例では、パケット識別モジュール３０５−ａは、図３を参照しながら説明したパケット識別モジュール３０５の一例であり得る。同様に、送信デバイス送信機モジュール２２０−ｂは、図２および／または図３を参照しながら説明した送信機モジュール２２０の一例であり得る。装置３１０−ａはまた、プロセッサであり得る。装置３１０−ａは、通常パイロットストレージ４０５、データストレージ４１０、分散パイロットストレージ４１５、ＯＦＤＭ処理サブモジュール４２０、シングルキャリア処理サブモジュール４２５、インターリーバサブモジュール４３０および／またはサイクリックプレフィックス挿入サブモジュール４３５を含み得る。これらの構成要素の各々は互いに通信していることがある。
【００３８】
[0051]装置３１０−ａの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００３９】
[0052]一実施形態では、サブフレーム生成モジュール３１０−ａは、通信リンク３０６−ａ、３０６−ｂおよび３０６−ｃを介して、パケット識別モジュール３０５−ａによって識別された複数の通常パイロットシンボル（第１のパイロットシンボル）と、複数のデータパケットと、複数の分散パイロットシンボル（第２のパイロットシンボル）とを受信し得る。サブフレーム生成モジュール３１０−ａは、それぞれ、受信された、通常パイロットシンボルを通常パイロットストレージ４０５に、データパケットをデータストレージ４１０に、分散パイロットシンボルを分散パイロットストレージ４１５に一時的に記憶し得る。通常パイロットストレージ４０５、データストレージ４１０および分散パイロットストレージ４１５は、限定はしないが、バッファ、ランダムアクセスメモリ（ＲＡＭ）および／またはキューを含む、好適なストレージシステムを具備し得る。
【００４０】
[0053]いくつかの例では、チャネル推定を可能にするように構成された通常パイロットシンボルは、通信リンク４０２を介してＯＦＤＭ処理サブモジュール４２０にフォワーディングされるより前に、通常パイロットストレージ４０５に記憶される。ＯＦＤＭ処理サブモジュール４２０は、周波数領域中の複数の通常パイロットシンボルを受信し、複数の第１のサブフレームを生成するためにＯＦＤＭ処理を適用し得る。いくつかの例では、ＯＦＤＭ処理は、たとえば、知られているマッピング方式を使用して、複数の受信された通常パイロットシンボルを信号コンスタレーション上にマッピングすることを含み得る。コンスタレーション上の各信号は等しいエネルギーを有し得る。マッピングされた信号コンスタレーションは、次いで、たとえば、逆高速フーリエ変換によって周波数領域から時間領域に変換され得る。変換された信号コンスタレーションは、次いで、ＯＦＤＭパイロットシンボルブロック上へのＣＰの挿入のために、通信リンク４１２を介してサイクリックプレフィックス挿入サブモジュール４３５にフォワーディングされ得る。
【００４１】
[0054]いくつかの例では、サイクリックプレフィックス挿入サブモジュール４３５は、システム仕様に従ってサイクリックプレフィックス（ＣＰ）をあらゆるブロック中に挿入し得る。生成されたサブフレームへのＣＰの挿入は、送信された信号が、厳しい送信状態において直交特性を維持することを可能にする。ＣＰは、ブロックの最後のデータシンボルの繰り返しであり得、前のブロックからのシンボル間干渉（ＩＳＩ：intersymbol interference）によるブロックの汚染を防ぐために付加され得る。ＣＰの挿入に続いて、生成されたサブフレームは、受信デバイスへのマルチキャリアチャネル上に変調されるために、通信リンク４１６を介して送信機デバイス送信機モジュール２２０−ｂにフォワーディングされ得る。
【００４２】
[0055]また他の例では、パケット識別モジュール３０５−ａによって識別され、ワイヤレスチャネル上での送信のために構成されたデータパケットが、シングルキャリア処理サブモジュール４２５によって処理されるより前にデータストレージ４１０に記憶され得る。同様に、チャネル推定追跡を可能にするように構成された分散パイロットシンボルが、分散パイロットストレージ４１５に記憶され得る。通常パイロットシンボルとは対照的に、シングルキャリア処理サブモジュール４２５によって取得された複数のデータパケットおよび分散パイロットシンボルは、時間的領域中にあり得る。シングルキャリア処理サブモジュール４２５は、通信リンク４０４を介して複数のデータパケットを受信し、通信リンク４０８を介して複数の分散パイロットシンボル受信し得る。しかしながら、シングルキャリア処理サブモジュール４２５へのそれの送信より前に、分散パイロットシンボルはまず、通信リンク４０６を介してインターリーバサブモジュール４３０を通ってルーティングされ得る。インターリーバサブモジュール４３０は、事前決定された時間遅延でのデータサブフレーム中への挿入のために、複数の分散パイロットシンボルをフォワーディングし得る。いくつかの例では、事前決定された時間遅延は等長遅延期間であり得る。また別の例では、時間遅延は、擬似ランダムまたは動的に調整可能のいずれかであり得る。
【００４３】
[0056]シングルキャリア処理サブモジュール４２５は、第２の処理技法に従って、複数の時間領域データパケットおよび分散パイロットシンボルを処理し得る。一例では、第２の処理技法はＳＣを備え得る。シングルキャリア処理サブモジュール４２５は、受信されたデータパケットと複数の分散パイロットとに部分的に基づいて、複数の第２のサブフレームを生成し得る。生成されたサブフレームは、通信リンク４１４を介してサイクリックプレフィックス挿入サブモジュール４３５にフォワーディングされ得る。サイクリックプレフィックス挿入サブモジュール４３５は、システム仕様に従ってＣＰをあらゆる受信されたブロック中に挿入し得、受信デバイスへのマルチキャリアチャネル上への変調のために、ＣＰ−ＳＣ生成サブフレームを通信リンク４１６を介して送信機デバイス送信機モジュール２２０−ｂにフォワーディングし得る。
【００４４】
[0057]図５に、本開示の様々な態様による、ワイヤレス通信において使用するための装置５０５のブロック図５００を示す。いくつかの例では、装置５０５は、受信デバイス、たとえば、図１を参照しながら説明した基地局１０５および／またはＵＥ１１５のうちの１つまたは複数の一例であり得る。装置５０５はまた、プロセッサであり得る。装置５０５は、受信デバイス受信機モジュール５１０、サブフレーム分析モジュール７１５、および／または受信デバイス送信機モジュール５２０を含み得る。これらの構成要素の各々は互いに通信していることがある。
【００４５】
[0058]装置５０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００４６】
[0059]受信デバイス受信機モジュール５１０は、図１を参照しながら説明したワイヤレス通信システム１００の１つまたは複数の通信リンク１２５など、ワイヤレス通信システムの通信リンクを介して、様々なタイプのデータおよび／または制御信号（すなわち、送信、パイロットシンボル）を受信するために使用され得る。受信機モジュール５１０は、受信デバイス５０５の内部構成要素（図示せず）からデータおよび／または制御信号をさらに受信し得る。受信機モジュール５１０は、信号５０２を介してパケット、データ、および／またはシグナリング情報などの情報を受信し得る。受信された情報は、図２および／または図３を参照しながら説明したような送信デバイス２０５との通信を確立するためにサブフレーム分析モジュール５１５によって利用され得る。
【００４７】
[0060]サブフレーム分析モジュール５１５は、本開示の様々な態様に従って、受信機モジュール５１０を介したワイヤレス通信の受信を制御するため、および／または受信された制御信号（パイロットシンボル）とデータパケットとを復調するために使用され得る。いくつかの例では、サブフレーム分析モジュール５１５は、通信リンク５０４を介して受信デバイス受信機モジュール５１０から取得された制御情報（たとえば、パイロットシンボル）と複数のデータパケットとに部分的に基づいて、複数のフレームおよびサブフレームを分析するように構成され得る。サブフレーム分析モジュール５１５は、送信デバイスと受信デバイスとの間のチャネル状態を推定し、追跡するために、データおよび／または制御信号の受信されたタイプの各々を識別し得る。送信デバイスおよび／または受信デバイスの各々は、図１を参照しながら説明したように少なくとも１つまたは複数の基地局および／またはＵＥであり得る。
【００４８】
[0061]受信デバイス送信機モジュール５２０は、少なくとも１つのＲＦ送信機を含み得る。受信デバイス送信機モジュール５２０は、本開示で説明するハイブリッド波形に従って、図１を参照しながら説明したワイヤレス通信システム１００の１つまたは複数の通信リンク１２５など、ワイヤレス通信システムの１つまたは複数の通信リンクを介して、様々なタイプのデータおよび／または制御信号（すなわち、送信、パイロットシンボル）を送信するために使用され得る。
【００４９】
[0062]図６に、本開示の様々な態様による、装置５１５−ａのブロック図６００を示す。いくつかの例では、装置５１５−ａは、図５を参照しながら説明したサブフレーム分析モジュール５１５の一例であり得る。装置５１５−ａはまた、プロセッサであり得る。装置５１５−ａは、サイクリックプレフィックス除去サブモジュール６０５と、高速フーリエ変換サブモジュール６１０と、チャネル推定サブモジュール６１５と、周波数領域等化サブモジュール６２０と、チャネル追跡サブモジュール６２５と、逆高速フーリエ変換サブモジュール６３０と、検出サブモジュール６３５とを含み得る。これらの構成要素の各々は互いに通信していることがある。
【００５０】
[0063]装置５１５−ａの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００５１】
[0064]いくつかの実施形態では、サブフレーム分析モジュール５１５−ａは、ワイヤレスチャネルを介して送信デバイスから複数のシンボルを受信し得る。受信されたシンボルは、図５を参照しながら説明したように、サブフレーム分析モジュール５１５−ａと受信デバイス受信機モジュール５２０との間の通信リンク６０２を介してサブフレーム分析モジュール５１５−ａにフォワーディングされ得る。受信された信号６０２は、チャネル破損、位相雑音および加法性白色ガウス雑音（ＡＷＧＮ：additive white gaussian noise）を反映する受信されたフレームおよび／またはパケットの時間領域を反映し得る。サイクリックプレフィックス除去サブモジュール６０５は、受信されたシンボルを通信リンク６０４を介して高速フーリエ変換サブモジュール６１０に送信するより前に、受信されたシンボルの各々から、付加されたＣＰを除去し得る。いくつかの例では、高速フーリエ変換サブモジュール６１０は、チャネル推定サブモジュール６１５およびチャネル追跡サブモジュール６２５がチャネル推定を行うことを可能にするために、受信された時間領域シンボルを周波数領域シンボルに変換し得る。
【００５２】
[0065]受信された通常パイロットシンボルを時間領域から周波数領域に変換することから導出された通常パイロットシンボルは、通信リンク６０６を介してチャネル推定サブモジュール６１５にフォワーディングされ得る。同様に、分散パイロットシンボルは、周波数領域に変換すると処理のために、リンク６１２を介してチャネル追跡サブモジュール６２５にフォワーディングされ得る。チャネル推定サブモジュール６１５およびチャネル追跡サブモジュール６２５の各々は、たとえば相関によって、受信された信号からパイロットシンボルを抽出し、受信されたパイロットシンボルに部分的に基づいてチャネル推定を決定し得る。いくつかの事例では、チャネル推定サブモジュール６１５は、送信デバイスと受信デバイスとの間のワイヤレスチャネルのチャネル状態情報を取得するために、受信されたパイロットシンボルに、知られているパイロットシンボルの複素共役を乗算し得る。チャネル推定サブモジュール６１５は、周波数領域中の最初の２つのブロックに基づいてすべての５１２個のサブキャリアのためのチャネルを推定し、チャネル推定を、受信されたフレーム／パケットに適用し得る。さらなる例では、チャネル推定サブモジュール６１５およびチャネル追跡サブモジュール６２５は、送信周波数の各々についての振幅誤差および位相誤差の最良推定値を決定するために、最小２乗（ＬＳ）推定器、最小平均２乗誤差（ＭＭＳＥ）推定器または最小２乗平均（ＬＭＳ）推定器のいずれか１つに基づいてチャネル状態を推定し得る。同様に、受信された分散パイロットシンボルは、通常パイロットシンボルに部分的に基づくチャネル推定に続いてチャネル状態を追跡するためにチャネル追跡サブモジュール６２５によって処理され得る。いくつかの例では、チャネル推定値は、信頼できるデータ検出を行うために通信リンク６１４および６１６を介して周波数領域等化器サブモジュール６２０に供給され得る。本開示によれば、信号６１６は、受信されたフレーム／パケットについての周波数領域中の推定された位相雑音を与え得る。
【００５３】
[0066]いくつかの例では、周波数領域等化サブモジュール６２０は、通信リンク６０８を介して高速フーリエ変換サブモジュール６１０からデータシンボルを受信し得る。周波数領域等化サブモジュールはまたさらに、通信リンク６１４を介してチャネル推定サブモジュール６１５から、およびリンク６１６を介してチャネル追跡サブモジュール６２５からチャネル推定値を受信し得る。推定されたチャネル状態に部分的に基づいて、周波数領域等化サブモジュール６２０は、使用される周波数の各々に固有の振幅補正および位相補正を適用することによって、チャネルによってもたらされたひずみを補正し得る。補正された信号は、その後、信号を周波数領域から時間領域に変換するために、リンク６１８を介して逆高速フーリエ変換サブモジュール６３０にフォワーディングされる。図示の実施形態によれば、信号６１８は、チャネルフェージングおよび位相雑音について補償された周波数領域中の受信されたデータを反映し得る。いくつかの事例では、信号６１８はＡＷＧＮ雑音を備え得る。変換された時間領域信号は、受信デバイスにおいて受信されたひずみのないデータパケットを検出するために、通信リンク６２２を介して逆高速フーリエ変換サブモジュール６３０から検出サブモジュール６３５に送信される。いくつかの例では、信号６２２は、ＡＷＧＮ雑音をもつ時間領域中の復元された元の送信されたデータを反映し得る。また別の実施形態では、信号６２２は、ＡＷＧＮ雑音が補償された時間的領域中の復元された元の送信されたデータであり得る。
【００５４】
[0067]図７に、本開示の様々な態様による、装置５１５−ｂのブロック図７００を示す。いくつかの例では、装置５１５−ｂは、図５を参照しながら説明したサブフレーム分析モジュール７１０の一例であり得る。装置５１５−ｂはまた、プロセッサであり得る。装置５１５−ｂは、サイクリックプレフィックス除去サブモジュール７０５と、チャネル変動補償サブモジュール７１０と、チャネル追跡サブモジュール７１５と、高速フーリエ変換サブモジュール７２０と、周波数領域等化サブモジュール７２５と、チャネル推定サブモジュール７３０と、逆高速フーリエ変換サブモジュール７３５と、検出サブモジュール７４０とを含み得る。これらの構成要素の各々は互いに通信していることがある。
【００５５】
[0068]装置７１０−ｂの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００５６】
[0069]いくつかの実施形態では、サブフレーム分析モジュール５１５−ｂは、ワイヤレスチャネルを介して送信デバイスから複数のシンボルを受信し得る。受信されたシンボルは、図５を参照しながら説明したように、サブフレーム分析モジュール５１５と受信デバイス受信機モジュール５１０との間の通信リンク７０２を介してサブフレーム分析モジュール５１５−ｂにフォワーディングされ得る。受信された信号７０２は、任意の数のチャネル破損、位相雑音および／またはＡＷＧＮ雑音を備える時間領域中の反映されたフレーム／パケットを備え得る。サイクリックプレフィックス除去サブモジュール７０５は、分散パイロットシンボルを通信リンク７０６を介してチャネル追跡サブモジュール７１５に送信するより前に、受信されたシンボルの各々から、付加されたＣＰを除去し得る。そのような例では、シンボルは、通信リンク７０４を介してサイクリックプレフィックス除去サブモジュール７０５からチャネル変動補償サブモジュール７１０にフォワーディングされ得る。本開示のいくつかの例では、チャネル追跡は時間領域中で実行され得る。チャネル追跡サブモジュール７１５は、たとえば相関によって、受信された信号から分散パイロットシンボルを抽出し、受信されたパイロットシンボルに部分的に基づいてチャネル推定を決定し得る。チャネル追跡サブモジュール７１５はさらに、分散パイロットシンボルに部分的に基づいてチャネル状態を追跡し、チャネル追跡状態を通信リンク７０８を介してチャネル変動補償サブモジュール７１０にフォワーディングし得る。
【００５７】
[0070]いくつかの例では、チャネル変動補償サブモジュール７１０は、チャネル追跡サブモジュール７１５によって追跡されたチャネル状態に基づいて、受信されたシンボルおよび／またはサブフレームを補償し得る。チャネル変動補償サブモジュール７１０はさらに、補償されたシンボルおよび／またはサブフレームを通信リンク７１２を介して高速フーリエ変換サブモジュール７２０にフォワーディングし得る。信号７１２は、様々なチャネル破損、位相雑音、およびＡＧＷＮについて補償された時間領域中のフレーム／パケットを高速フーリエ変換サブモジュール７２０に与える。高速フーリエ変換サブモジュール７２０は、チャネル推定サブモジュール７３０がチャネル推定を行うことを可能にするために、受信された時間領域補償シンボルを周波数領域シンボルに変換し得る。いくつかの事例では、チャネル推定サブモジュール７３０は、送信デバイスと受信デバイスとの間のワイヤレスチャネルのチャネル状態情報を取得するために、受信されたパイロットシンボルに、知られているパイロットシンボルの複素共役を乗算し得る。
【００５８】
[0071]またさらなる例では、チャネル推定サブモジュール７３０は、送信周波数の各々についての振幅誤差および位相誤差の最良推定値を決定するために、最小２乗（ＬＳ）推定器、最小平均２乗誤差（ＭＭＳＥ）推定器または最小２乗平均（ＬＭＳ）推定器のいずれか１つに基づいてチャネル状態を推定し得る。チャネル推定値は、信頼できるデータ検出を行うために通信リンク７１８を介して周波数領域等化器サブモジュール７２５に供給され得る。
【００５９】
[0072]いくつかの例では、周波数領域等化サブモジュール７２５は、通信リンク７１４を介して高速フーリエ変換サブモジュール７２０からデータシンボルを受信し得る。推定されたチャネル状態に部分的に基づいて、周波数領域等化サブモジュール７２５は、使用される周波数の各々に固有の振幅補正および位相補正を適用することによって、チャネルによってもたらされたひずみを補正し得る。補正された信号は、その後、信号を周波数領域から時間領域に変換するために、リンク７２２を介して逆高速フーリエ変換サブモジュール７３５にフォワーディングされ得る。いくつかの例では、変換された時間領域信号は、受信デバイスにおいて受信されたひずみのないデータパケットを検出するために、通信リンク７２４を介して逆高速フーリエ変換サブモジュール７３５から検出サブモジュール７４０に送信され得る。
【００６０】
[0073]図８に、本開示の様々な態様による、ワイヤレス通信のために構成されたＵＥ１１５−ａのブロック図８００を示す。ＵＥ１１５−ａは、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１１５−ａは、場合によっては、モバイル動作を可能にするために、小型バッテリーなどの内部電源（図示せず）を有し得る。いくつかの実施形態では、ＵＥ１１５−ａは、図１を参照しながら説明したデバイス１１５のうちの１つの１つまたは複数の態様の一例であり得る。ＵＥ１１５−ａは、図１、図２、図３、および／または図５を参照しながら説明した特徴および機能のうちの少なくともいくつかを実装するように構成され得る。ＵＥ１１５−ａは、図１および／または図２を参照しながら説明したアクセスポイントまたはデバイス１０５のうちの１つまたは複数と通信するように構成され得る。
【００６１】
[0074]ＵＥ１１５−ａは、ＵＥプロセッサモジュール８１０、ＵＥメモリモジュール８２０、（（１つまたは複数の）ＵＥトランシーバモジュール８３０によって表される）少なくとも１つのトランシーバモジュール、（（１つまたは複数の）ＵＥアンテナ８４０によって表される）少なくとも１つのアンテナ、フレーム管理モジュール２１５−ｂ、および／またはサブフレーム分析モジュール５１５−ｃを含み得る。これらの構成要素の各々は、１つまたは複数のバス８３５を介して直接または間接的に互いに通信していることがある。
【００６２】
[0075]ＵＥメモリモジュール８２０は、ランダムアクセスメモリ（ＲＡＭ）および／または読取り専用メモリ（ＲＯＭ）を含み得る。ＵＥメモリモジュール８２０は、実行されたとき、ワイヤレス通信システムを介して通信するための本明細書で説明する様々な機能をＵＥプロセッサモジュール８１０に実行させるように構成された命令を含んでいるコンピュータ可読、コンピュータ実行可能ソフトウェア（ＳＷ）コード８２５を記憶し得る。代替的に、ソフトウェアコード８２５は、ＵＥプロセッサモジュール８１０によって直接的に実行可能でないことがあるが、（たとえば、コンパイルされ、実行されたとき）本明細書で説明する機能のうちのいくつかをＵＥ１１５−ａに実行させるように構成され得る。
【００６３】
[0076]ＵＥプロセッサモジュール８１０は、インテリジェントハードウェアデバイス、たとえば、中央処理ユニット（ＣＰＵ）、マイクロコントローラ、ＡＳＩＣなどを含み得る。ＵＥプロセッサモジュール８１０は、（１つまたは複数の）ＵＥトランシーバモジュール８３０を通して受信された情報、および／または（１つまたは複数の）ＵＥアンテナ８４０を介した送信のために（１つまたは複数の）ＵＥトランシーバモジュール８３０に送られるべき情報を処理し得る。ＵＥプロセッサモジュール８１０は、ワイヤレス通信システムを介して通信することの様々な態様を扱い得る。
【００６４】
[0077]（１つまたは複数の）ＵＥトランシーバモジュール８３０は、パケットを変調し、変調されたパケットを送信のために（１つまたは複数の）ＵＥアンテナ８４０に与え、（１つまたは複数の）ＵＥアンテナ１０４０から受信されたパケットを復調するように構成されたモデムを含み得る。（１つまたは複数の）ＵＥトランシーバモジュール８３０は、場合によっては、１つまたは複数の送信機モジュールおよび１つまたは複数の別個の受信機モジュールとして実装され得る。（１つまたは複数の）ＵＥトランシーバモジュール８３０は、ＷＷＡＮまたはセルラースペクトルなど、第１のスペクトルにおける通信と、ＷＬＡＮスペクトルなど、第２のスペクトルにおける通信とをサポートし得る。（１つまたは複数の）ＵＥトランシーバモジュール８３０は、図１を参照しながら説明したアクセスポイントまたはデバイス１０５（たとえば、ｅＮＢおよび／またはＷＬＡＮアクセスポイント）のうちの１つまたは複数と、（１つまたは複数の）ＵＥアンテナ８４０を介して、双方向に通信するように構成され得る。ＵＥ１１５−ａは単一のアンテナを含み得るが、ＵＥ１１５−ａが複数のＵＥアンテナ８４０を含み得る実施形態があり得る。
【００６５】
[0078]フレーム管理モジュール２１５−ｂは、図２および／または図３を参照しながら説明したフレーム管理モジュール２１５の１つまたは複数の態様の一例であり得る。フレーム管理モジュール２１５−ｂは、ＯＦＤＭベース通常パイロットシンボルと、ＣＰ−ＳＣベース分散パイロットシンボルおよびデータパケットとを備えるハイブリッド波形に部分的に基づいてサブフレームを生成するように構成され得る。フレーム管理モジュール２１５−ｂまたはそれの部分は、プロセッサを含み得、ならびに／あるいはフレーム管理モジュール２１５−ｂの機能の一部または全部は、ＵＥプロセッサモジュール８１０によっておよび／またはＵＥプロセッサモジュール８１０に関連して実行され得る。
【００６６】
[0079]同様に、サブフレーム分析モジュール５１５−ｃは、図７および／または図８を参照しながら説明したサブフレーム分析モジュール５１５の１つまたは複数の態様の一例であり得る。サブフレーム管理モジュール５１５−ｃは、本開示の様々な態様によるチャネル推定およびデータ検出を行うために、ワイヤレスチャネルを介して受信された複数のシンボルを受信し、分析するように構成され得る。サブフレーム分析モジュール５１５−ｃまたはそれの部分は、プロセッサを含み得、ならびに／あるいはサブフレーム分析モジュール５１５−ｃの機能の一部または全部は、ＵＥプロセッサモジュール８１０によっておよび／またはＵＥプロセッサモジュール８１０に関連して実行され得る。
【００６７】
[0080]図９に、本開示の様々な態様による、ワイヤレス通信のために構成されたＷＬＡＮアクセスポイント１０５−ａを示すブロック図９００を示す。いくつかの実施形態では、ＷＬＡＮアクセスポイント１０５−ａは、図１を参照しながら説明したアクセスポイントまたはデバイス１０５のうちの１つの１つまたは複数の態様の一例であり得る。ＷＬＡＮアクセスポイント１０５−ａは、図１を参照しながら説明した特徴および機能のうちの少なくともいくつかを実装するように構成され得る。ＷＬＡＮアクセスポイント１０５−ａは、ＡＰプロセッサモジュール９１０、ＡＰメモリモジュール９２０、（（１つまたは複数の）ＡＰトランシーバモジュール９５５によって表される）少なくとも１つのトランシーバモジュール、（（１つまたは複数の）ＡＰアンテナ９６０によって表される）少なくとも１つのアンテナ、フレーム管理モジュール２１５−ｃ、および／またはサブフレーム分析モジュール５１５−ｄを含み得る。これらの構成要素の各々は、１つまたは複数のバス９３５を介して直接または間接的に互いに通信していることがある。
【００６８】
[0081]メモリモジュール９２０はＲＡＭおよび／またはＲＯＭを含み得る。ＡＰメモリモジュール９２０は、実行されたとき、本明細書で説明する様々な機能をＡＰプロセッサモジュール９１０に実行させるように構成された命令を含んでいるコンピュータ可読、コンピュータ実行可能ソフトウェア（ＳＷ）コード９２５を記憶し得る。代替的に、ソフトウェアコード９２５は、ＡＰプロセッサモジュール９１０によって直接的に実行可能でないことがあるが、（たとえば、コンパイルされ、実行されたとき）本明細書で説明する機能のうちのいくつかをＷＬＡＮアクセスポイント１０５−ａに実行させるように構成され得る。
【００６９】
[0082]ＡＰプロセッサモジュール９１０は、インテリジェントハードウェアデバイス、たとえば、ＣＰＵ、マイクロコントローラ、ＡＳＩＣなどを含み得る。ＡＰプロセッサモジュール９１０は、（１つまたは複数の）ＡＰトランシーバモジュール９５５および／またはネットワーク通信モジュール９４０を通して受信された情報を処理し得る。ＡＰプロセッサモジュール９１０はまた、（１つまたは複数の）ＡＰアンテナ９６０を介した送信のために（１つまたは複数の）ＡＰトランシーバモジュール９５５に送られるべき情報、あるいはネットワーク９４５（たとえば、インターネット、または図１を参照しながら説明したコアネットワーク１３０などのコアネットワーク）への送信のためにネットワーク通信モジュール９４０に送られるべき情報を処理し得る。
【００７０】
[0083]（１つまたは複数の）ＡＰトランシーバモジュール９５５は、パケットを変調し、変調されたパケットを送信のために（１つまたは複数の）ＡＰアンテナ９６０に与え、（１つまたは複数の）ＡＰアンテナ９６０から受信されたパケットを復調するように構成されたモデムを含み得る。（１つまたは複数の）ＡＰトランシーバモジュール９５５は、場合によっては、１つまたは複数の送信機モジュールおよび１つまたは複数の別個の受信機モジュールとして実装され得る。（１つまたは複数の）ＡＰトランシーバモジュール９５５は、ＷＬＡＮスペクトルなど、第１のスペクトルにおける通信と、場合によっては、ＷＷＡＮスペクトルなど、第２のスペクトルにおける通信とをサポートし得る。（１つまたは複数の）ＡＰトランシーバモジュール９５５は、たとえば、図１および／または図２を参照しながら説明したＵＥまたはデバイス１１５のうちの１つまたは複数と、（１つまたは複数の）ＡＰアンテナ９６０を介して、双方向に通信するように構成され得る。ＷＬＡＮアクセスポイント１０５−ａは通常、複数のＡＰアンテナ９６０（たとえば、アンテナアレイ）を含み得る。ＷＬＡＮアクセスポイント１０５−ａは、ネットワーク通信モジュール９４０を通して（１つまたは複数の）ネットワーク１３０−ａと通信し得る。
【００７１】
[0084]フレーム管理モジュール２１５−ｃは、図３および／または図３を参照しながら説明したフレーム管理モジュール２１５の１つまたは複数の態様の一例であり得る。フレーム管理モジュール２１５−ｃは、ＯＦＤＭベース通常パイロットシンボルとＣＰ−ＳＣベースデータパケットとを備えるハイブリッド波形に部分的に基づいてサブフレームを生成するように構成され得る。フレーム管理モジュール２１５−ｃまたはそれの部分は、プロセッサを含み得、ならびに／あるいはフレーム管理モジュール２１５−ｃの機能の一部または全部は、ＡＰプロセッサモジュール９１０によっておよび／またはＡＰプロセッサモジュール１１１０に関連して実行され得る。
【００７２】
[0085]同様に、サブフレーム分析モジュール５１５−ｄは、図５および／または図６を参照しながら説明したサブフレーム分析モジュール５１５の１つまたは複数の態様の一例であり得る。サブフレーム管理モジュール５１５−ｄは、本開示の様々な態様によるチャネル推定およびデータ検出を行うために、ワイヤレスチャネルを介して受信された複数のシンボルを受信し、分析するように構成され得る。サブフレーム分析モジュール５１５−ｄまたはそれの部分は、プロセッサを含み得、ならびに／あるいはサブフレーム分析モジュール５１５−ｄの機能の一部または全部は、ＡＰプロセッサモジュール９１０によっておよび／またはＡＰプロセッサモジュール９１０に関連して実行され得る。
【００７３】
[0086]図１０Ａおよび図１０Ｂに、本開示の様々な態様によるハイブリッド波形に基づくフレーム構造１０００、１０００−ａの一例を示す。いくつかの実施形態では、フレーム構造１００５−ａ−ｎ、１００５−ｂは、図２および／または図３を参照しながら説明したフレーム管理モジュール２１５の様々な態様によって生成された１つまたは複数のフレームの例であり得る。本開示によるフレームは、複数のサブフレームまたはブロック１００５−ａ−ｎ、１００５−ｂに分割され得る。各フレーム１０００、１０００−ａは、８個または１６個のいずれかのサブフレームおよび／またはブロック１００５−ａ−１、１００５−ａ−２、１００５−ａ−ｎを含んでいることがあり、ここにおいて、各サブフレームは５１２個の変調シンボルを備える。
【００７４】
[0087]図１０Ａを参照すると、いくつかの実施形態では、フレーム管理モジュールは、ＯＦＤＭ処理技法を使用して、通常パイロットシンボルに少なくとも部分的に基づいて第１のサブフレーム１０１０−ａ−１を生成し得る。いくつかの例では、通常パイロットサブフレーム１０１０−ａ−１、１０１０−ａ−２は、第１の時間期間中に最初の２つのサブフレームブロック１００５−ａ−１、１００５−ａ−２に及び得る。また別の例では、図１０Ｂを参照すると、通常パイロットサブフレーム１０１０−ｂは、短縮された第１の時間期間中に第１のサブフレーム１００５−ｂのみの上で送信し得る。上記の例では、各サブフレームブロック１００５−ａ−１、１００５−ａ−２は、通常パイロットを搬送する５１２個の変調シンボルを備え得る。通常パイロットサブフレームおよび／またはブロックは、１６個のブロックごとに繰り返され得る。
【００７５】
[0088]図１０Ａおよび図１０Ｂに示されているいくつかの例では、送信機デバイスのフレーム管理モジュールが、第２の時間期間中にＣＰ−ＳＣ処理技法を使用して第２のサブフレーム１００５−ａ−３を生成し得る。第２のサブフレーム１００５−ａ−３は、複数のデータパケット１０１５−ａ−１、１０１５−ａ−ｎと、複数の分散パイロットシンボル１０２０−ａ−１、１０２０−ａ−ｎとに少なくとも部分的に基づき得る。通常パイロットブロックと同様に、データブロックは、各データブロック中に５１２個の変調シンボルを備え得る。いくつかの例では、分散パイロットシンボル１０２０−ａ−１、１０２０−ａ−ｎは、図１０Ａに示されているように等しい時間遅延で複数のデータパケット１０１５−ａ−１、１０１５−ａ−ｎ間にインターリーブ、挿入、または多重化され得る。そのような事例では、分散パイロットシンボル１０２０−ａ−１、１０２０−ａ−ｎは、各ブロックに、６４個のデータ変調シンボルごとにインターリーブされ得る。その結果、各データブロックは、８つの分散パイロットシンボル１０２０−ａ−１、１０２０−ａ−ｎを備え得る。追加または代替の例では、分散パイロットシンボル１２２０は、図１０Ｂに示されているように変動する時間遅延でデータパケット１０１５−ａ−１、１０１５−ａ−ｎ中に多重化され得る。
【００７６】
[0089]上記の実施形態では、受信デバイスはフレーム１０００、１０００−ａを受信し得る。図５、図６、図７、図８および／または図９を参照しながら説明したサブフレーム分析モジュールは、第１の時間期間中に複数の通常パイロットシンボル１０１０−ａ−１、１０１０−ａ−２を備える、ＯＦＤＭ処理技法を使用して符号化された複数の第１のサブフレーム１００５−ａ−１、１００５−ａ−２を受信し得る。いくつかの例では、受信デバイスは、複数のデータパケット１０１５−ａ−ｎおよび分散パイロット１０２０−ａ−ｎに部分的に基づいて、ＣＰ−ＳＣ処理技法を使用して符号化された複数の第２のサブフレーム１００５−ａ−３、１００５−ａ−ｎをさらに受信し得る。サブフレーム分析モジュールは、受信された通常パイロットシンボル１０１０−ａ−１および／または１０１０−ａ−２に部分的に基づいて、受信されたフレーム１０００、１０００−ａを復号し、チャネル状態を推定し得る。サブフレーム分析モジュールはさらに、データパケット１０１５−ａ−ｎ内にインターリーブされた分散パイロット１０２０−ａ−ｎに少なくとも部分的に基づいて、チャネル状態を追跡し得る。推定および追跡されたチャネル状態に基づいて、サブフレーム分析モジュールは、データパケット１０１５−ａ−ｎを確実に検出し、データ送信中にもたらされていることがあるひずみについて調整するように構成され得る。
【００７７】
[0090]図１１は、本開示の様々な態様による、ワイヤレス通信のための方法１１００の一例を示すフローチャートである。明快のために、方法１１００について、送信デバイスのうちの１つまたは複数の態様に関して以下で説明する。いくつかの例では、基地局、アクセスポイントまたはモバイルデバイスのいずれかが、以下で説明する機能を実行するように基地局の機能要素を制御するためのコードの１つまたは複数のセットを実行し得る。
【００７８】
[0091]ブロック１１０５において、方法１１００は、第１の処理技法を使用して、複数の第１のパイロットシンボルに少なくとも部分的に基づいて送信のための第１のサブフレームを生成することを含み得る。ブロック１１１０において、本方法は、第２の処理技法を使用して、複数の第２のパイロットシンボルに少なくとも部分的に基づいて送信のための第２のサブフレームを生成することをさらに含み得る。第１の処理技法と第２の処理技法とは異なり得る。ブロック１１０５および／または１１１０の（１つまたは複数の）動作は、図３、図４、図８および／または図９を参照しながら説明したサブフレーム生成モジュール３１０によって実行され得る。
【００７９】
[0092]ブロック１１１５において、方法１１００は、第１および第２のサブフレームを送信することをさらに含み得る。ブロック１１１５の（１つまたは複数の）動作は、図２、図３、図４、図８および／または図９を参照しながら説明した送信デバイス送信機モジュール２１０によって実行され得る。
【００８０】
[0093]図１２は、本開示の様々な態様による、ワイヤレス通信のための方法１２００の一例を示すフローチャートである。明快のために、方法１２００について、図１および／または図２を参照しながら説明した送信デバイス２０５のうちの１つまたは複数の態様に関して以下で説明する。いくつかの例では、基地局、アクセスポイントまたはモバイルデバイスのいずれかが、以下で説明する機能を実行するように基地局の機能要素を制御するためのコードの１つまたは複数のセットを実行し得る。
【００８１】
[0094]ブロック１２０５において、方法１２００は、ワイヤレスチャネルを介した送信のための複数の第１のパイロットシンボルと、複数の第２のパイロットシンボルと、複数のデータパケットとを識別することを含み得る。いくつかの例では、複数の第１のパイロットシンボルと、複数の第２のパイロットシンボルと、複数のデータパケットとを識別することは、送信のために構成されたフレームから受信された信号の各々を区別することを備え得る。ブロック１２０５における（１つまたは複数の）動作は、図２、図８および／または図９を参照しながら説明したフレーム管理モジュール２１５、ならびに／あるいは図３および／または図４を参照しながら説明したパケット識別モジュール３０５を使用して実行され得る。
【００８２】
[0095]ブロック１２１０において、方法１２００は、識別された第１および第２のパイロットシンボルならびにデータパケットをサブフレーム生成モジュールに与えることをさらに含み得る。ブロック１２１５において、本方法は、第１のパイロットシンボルに少なくとも部分的に基づいて、ＯＦＤＭ処理技法を使用して第１のサブフレームを生成することを備え得る。ブロック１２２０において、本方法は、複数のデータパケット中に挿入された第２のパイロットシンボルに少なくとも部分的に基づいて、ＣＰ−ＳＣ処理技法を使用して第２のサブフレームを生成することをさらに含み得る。ブロック１２１０、１２１５および／または１２２０の（１つまたは複数の）動作は、図３を参照しながら説明したようにパケット識別モジュール３０５とサブフレーム生成モジュール３１０とを使用して実行され得る。
【００８３】
[0096]ブロック１２２５において、方法１２００は、等しい時間遅延で複数の第２のパイロットシンボルを複数のデータパケット中に挿入することを備え得る。ブロック１３２５の（１つまたは複数の）動作は、図４を参照しながら説明したようにインターリーバサブモジュール４３０を使用して実行され得る。最後に、ブロック１２３０において、方法１２００は、第１および第２のサブフレームを送信することをさらに含み得る。ブロック１２３０の（１つまたは複数の）動作は、図２、図３、図４、図８および／または図９を参照しながら説明した送信デバイス送信機モジュール２２０によって実行され得る。
【００８４】
[0097]図１３は、本開示の様々な態様による、受信デバイスにおいて構成されたワイヤレス通信のための方法１３００の一例を示すフローチャートである。明快のために、方法１３００について、図１、図８、および／または図９を参照しながら説明した受信デバイスのうちの１つまたは複数の態様に関して以下で説明する。いくつかの例では、基地局、アクセスポイントまたはモバイルデバイスのいずれかが、以下で説明する機能を実行するように基地局の機能要素を制御するためのコードの１つまたは複数のセットを実行し得る。
【００８５】
[0098]ブロック１３０５において、方法１３００は、受信デバイスにおいて、それぞれ、第１の時間期間中および第２の時間期間中に、第１の処理技法を使用して符号化された第１のサブフレームと、第２の処理技法を使用して符号化された第２のサブフレームとを受信することを備え得る。ブロック１３０５の（１つまたは複数の）動作は、図５を参照しながら説明したように受信デバイス受信機モジュール５１０を使用して実行され得る。
【００８６】
[0099]ブロック１３１０において、本方法は、複数の第１のパイロットシンボルに部分的に基づいて、最初のチャネル状態を推定することをさらに備え得る。第１のパイロットシンボルは、受信デバイスにおいて、第１のサブフレーム中で受信され得る。ブロック１３１０の（１つまたは複数の）動作は、図６および／または図７を参照しながら説明したようにチャネル推定サブモジュール６１５および／または７３０を使用して実行され得る。
【００８７】
[0100]ブロック１３１５において、本方法は、複数の第２のパイロットシンボルに部分的に基づいてチャネル状態を追跡することをさらに備え得る。複数の第２のパイロットシンボルは、第２のサブフレーム中で受信される。ブロック１３１５の（１つまたは複数の）動作は、図６および／または図を参照しながら説明したようにチャネル追跡サブモジュール６２５および／または７１５を使用して実行され得る。最後に、ブロック１３２０において、方法１３００は、チャネル推定に部分的に基づいて複数のデータパケットを検出することを備え得る。ブロック１３２０の（１つまたは複数の）動作は、図６および／または図７を参照しながら説明したように検出サブモジュール６３５、７４０を使用して実行され得る。
【００８８】
[0101]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【００８９】
[0102]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９０】
[0103]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００９１】
[0104]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９２】
[0105]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００９３】
[0106]本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願の出願当初の特許請求の範囲に記載された発明を付記する。
［Ｃ１］
ワイヤレス通信においてデータを送信するための方法であって、
第１の処理技法を使用して、複数の第１のパイロットシンボルに少なくとも部分的に基づいて送信のための第１のサブフレームを生成することと、
第２の処理技法を使用して、複数の第２のパイロットシンボルに少なくとも部分的に基づいて送信のための第２のサブフレームを生成することと、ここにおいて、前記第１の処理技法と前記第２の処理技法とが異なり、
前記第１および第２のサブフレームを送信することと
を備える、方法。
［Ｃ２］
前記第１の処理技法が直交周波数分割多重（ＯＦＤＭ）を備える、Ｃ１に記載の方法。
［Ｃ３］
前記第２の処理技法がサイクリックプレフィックスシングルキャリア（ＣＰ−ＳＣ）を備える、Ｃ１に記載の方法。
［Ｃ４］
送信のための前記第１のサブフレームを生成することは、
前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを備える、Ｃ１に記載の方法。
［Ｃ５］
送信のための前記第２のサブフレームを生成することが、
サイクリックプレフィックスと前記複数の第２のパイロットシンボルとを前記第２のサブフレーム中に挿入すること
を備える、Ｃ１に記載の方法。
［Ｃ６］
前記複数の第２のパイロットシンボルが、等しい時間遅延に従って前記第２のサブフレーム中に挿入される、Ｃ５に記載の方法。
［Ｃ７］
前記複数の第２のパイロットシンボルが、等しくない時間遅延に従って前記第２のサブフレーム中に挿入される、Ｃ５に記載の方法。
［Ｃ８］
前記複数の第１のパイロットシンボルが、チャネル推定を行うために受信機によって使用される、Ｃ１に記載の方法。
［Ｃ９］
前記複数の第２のパイロットシンボルが、チャネル推定追跡のために使用される、Ｃ１に記載の方法。
［Ｃ１０］
前記ワイヤレス通信が無認可周波数スペクトル上で動作する、Ｃ１に記載の方法。
［Ｃ１１］
前記無認可周波数スペクトルが６０ＧＨｚ帯域を備える、Ｃ１０に記載の方法。
［Ｃ１２］
前記第１のサブフレームが第１の時間期間中に送信され、前記第２のサブフレームが第２の時間期間中に送信される、Ｃ１に記載の方法。
［Ｃ１３］
前記第１の時間期間と前記第２の時間期間とが隣接する、Ｃ１２に記載の方法。
［Ｃ１４］
ワイヤレス通信においてデータを送信するための装置であって、
プロセッサと、
前記プロセッサと電子通信しているメモリとを備え、前記メモリが命令を具備し、前記命令が、
第１の処理技法を使用して、複数の第１のパイロットシンボルに少なくとも部分的に基づいて送信のための第１のサブフレームを生成することと、
第２の処理技法を使用して、複数の第２のパイロットシンボルに少なくとも部分的に基づいて送信のための第２のサブフレームを生成することと、ここにおいて、前記第１の処理技法と前記第２の処理技法とが異なり、
前記第１および第２のサブフレームを送信することと
を行うために前記プロセッサによって実行可能である、
装置。
［Ｃ１５］
前記第１の処理技法が直交周波数分割多重（ＯＦＤＭ）を備える、Ｃ１４に記載の装置。
［Ｃ１６］
前記第２の処理技法がサイクリックプレフィックスシングルキャリア（ＣＰ−ＳＣ）を備える、Ｃ１４に記載の装置。
［Ｃ１７］
送信のための前記第１のサブフレームを生成するための前記実行可能な命令がさらに、  前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを行うために前記プロセッサによって実行可能である、Ｃ１４に記載の装置。
［Ｃ１８］
送信のための前記第２のサブフレームを生成するための前記実行可能な命令がさらに、  サイクリックプレフィックスと前記複数の第２のパイロットシンボルとを前記第２のサブフレーム中に挿入すること
を行うために前記プロセッサによって実行可能である、Ｃ１４に記載の装置。
［Ｃ１９］
前記複数の第１のパイロットシンボルが、チャネル推定を行うために受信機によって使用される、Ｃ１４に記載の装置。
［Ｃ２０］
前記複数の第２のパイロットシンボルが、チャネル推定追跡のために使用される、Ｃ１４に記載の装置。
［Ｃ２１］
前記ワイヤレス通信が無認可周波数スペクトル上で動作する、Ｃ１４に記載の装置。
［Ｃ２２］
前記無認可周波数スペクトルが６０ＧＨｚ帯域を備える、Ｃ２１に記載の装置。
［Ｃ２３］
前記第１のサブフレームが第１の時間期間中に送信され、前記第２のサブフレームが第２の時間期間中に送信される、Ｃ１４に記載の装置。
［Ｃ２４］
ワイヤレス通信においてデータを送信するための装置であって、
第１の処理技法を使用して、複数の第１のパイロットシンボルに少なくとも部分的に基づいて送信のための第１のサブフレームを生成するための第１の処理モジュールと、
第２の処理技法を使用して、複数の第２のパイロットシンボルに少なくとも部分的に基づいて送信のための第２のサブフレームを生成するための第２の処理モジュールと、ここにおいて、前記第１の処理技法と前記第２の処理技法とが異なり、
前記第１および第２のサブフレームを送信するための送信機モジュールと
を備える、装置。
［Ｃ２５］
前記第１の処理技法が直交周波数分割多重（ＯＦＤＭ）を備える、Ｃ２４に記載の装置。
［Ｃ２６］
前記第２の処理技法がサイクリックプレフィックスシングルキャリア（ＣＰ−ＳＣ）を備える、Ｃ２４に記載の装置。
［Ｃ２７］
送信のための前記第１のサブフレームを生成するための前記第１の処理モジュールは、  前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを備える、Ｃ２４に記載の装置。
［Ｃ２８］
送信のための前記第２のサブフレームを生成するための前記第２の処理モジュールは、  サイクリックプレフィックスと前記複数の第２のパイロットシンボルとを前記第２のサブフレーム中に挿入すること
を備える、Ｃ２４に記載の装置。
［Ｃ２９］
ワイヤレス通信においてデータを受信するための方法であって、
受信デバイスにおいて、それぞれ、第１の時間期間中および第２の時間期間中に、第１の処理技法を使用して符号化された第１のサブフレームと、第２の処理技法を使用して符号化された第２のサブフレームとを受信することと、
複数の第１のパイロットシンボルに部分的に基づいて最初のチャネル状態を推定することと、ここにおいて、前記第１のパイロットシンボルが、前記受信デバイスにおいて、前記第１のサブフレーム中で受信され、
複数の第２のパイロットシンボルに部分的に基づいてチャネル状態を追跡することと、ここにおいて、前記複数の第２のパイロットシンボルが前記第２のサブフレーム中で受信され、
前記チャネル推定に部分的に、および前記チャネル推定追跡情報に部分的に基づいて複数のデータパケットを検出することと
を備える、方法。
［Ｃ３０］
前記第１の処理技法が直交周波数分割多重（ＯＦＤＭ）処理を備え、前記第２の処理技法がサイクリックプレフィックスシングルキャリア（ＣＰ−ＳＣ）処理を備える、Ｃ２９に記載の方法。
【図１】
0006522648.tif 000002
【図２】
0006522648.tif 000003
【図３】
0006522648.tif 000004
【図４】
0006522648.tif 000005
【図５】
0006522648.tif 000006
【図６】
0006522648.tif 000007
【図７】
0006522648.tif 000008
【図８】
0006522648.tif 000009
【図９】
0006522648.tif 000010
【図１０Ａ】
0006522648.tif 000011
【図１０Ｂ】
0006522648.tif 000012
【図１１】
0006522648.tif 000013
【図１２】
0006522648.tif 000014
【図１３】
0006522648.tif 000015